(57)【要約】【課題】  木製ルアーとプラスチックルアーの両素材の長所を兼ね備え、さらに、水面直下型のプラグであっても自由自在にデザインすることができる釣り用ルアーを提供する。【解決手段】  小魚又はその一部を象ったプラグ主体２であって、浮力に関与しない部位であって強度を必要とする部位、具体的には頭部３、尾部４および腹部５をプラスチックで一体成型し、それ以外の部分、すなわち背部を、プラスチックより比重の軽い材質で形成した浮力材からなる整形部材１０で整形するとともに、前記ルアー主体２の腹部５にウエイト９を入れるための空所を設けたものである。【選択図】        図１
2005143405.tif 000002
【特許請求の範囲】
【請求項１】
小魚又はその一部を象ったプラグ主体であって、
浮力に関与しない部位や強度を必要とする部位をプラスチックで一体成型し、
それ以外の部位を浮力材からなる整形部材で整形したこと
を特徴とするフィッシング用プラグ。
【請求項２】
前記浮力に関与しない部位や強度を必要とする部位は、
頭部および尾部と、両者を連結する腹部であること
を特徴とする請求項１に記載のフィッシング用プラグ。
【請求項３】
小魚又はその一部を象ったプラグ主体の背部を、長手方向に沿って切欠いて開口部を形成し、
この開口部を、切欠いた形状と同一形状で、かつ前記プラグ主体よりも軽い浮力材で形成した整形部材で整形したこと
を特徴とするフィッシング用プラグ。
【請求項４】
前記プラグ主体は、
少なくとも腹部の一部が中空であること
を特徴とする請求項３に記載のフィッシング用プラグ。
【請求項５】
前記プラグ主体は、
腹部にウエイト部材が内蔵されていること
を特徴とする請求項４に記載のフィッシング用プラグ。
【請求項６】
前記整形部材は、
前記プラグ主体の開口部に着脱自在に装着されていること
を特徴とする請求項３〜５のいずれかに記載のフィッシング用プラグ。
【請求項７】
前記整形部材は、
発泡素材又はバルサもしくはウッドプラグからなるものあること
を特徴とする請求項３〜６のいずれかに記載のフィッシング用プラグ。
【発明の詳細な説明】
【技術分野】
【０００１】
この発明は、疑似餌を使って魚を釣るルアーフィッシングにおいて、外形を小魚又はその一部に似せたフィッシング用プラグに関するものである。
【背景技術】
【０００２】
ルアー（擬餌鉤）をキャスティングし、これを水面または水中で、リーリングやロッドワークを駆使することによって魚を釣るルアーフィッシングにおいて、形や動き、その性質などが一番複雑なプラグは、一般的に小魚の形状をしたものが多く、リップの形状、アイの位置、ボディの形および背中のカーブなどによって様々な動きをするもので、大別するとトップウォータープラグ、シャローランニングプラグ、ディープダイビングプラグ、シンキングプラグという種類に分けられている。
【０００３】
このプラグは、基本的には、木材やプラスチックなどを使用して作られているもので、一方の木製のプラグは、浮力が高く、動きが機敏でリトリーブを止めた魚に見切られにくいが、軽い素材なためキャスティングによる飛距離が短く、細かい造形が困難なため、コスト高になり易く、また耐久性が低いものである。
【０００４】
他方、プラスチック製のプラグは、木製プラグより比重が高く、重心移動機構などを設けることができるので飛距離が長く、細かい造形と大量生産が容易なためコストを低くすることができ、耐久性に優れるものではあるが、浮力が少ないため、動きが鈍く、リトリーブを止めた魚に見切られ易く、また深くまで潜ってしまうので、用途の多い水面直下型のプラグを作成し難いものであるなど、それぞれに長所と短所を有しており、両方の長所を兼ね備えたプラグが強く要望されていた。
【０００５】
そこで、たとえば、特開２０００−２１７４６８号公報（特許文献１）においては、木材、バルサ、ホオ、ヒバ等で本体部を形成し、この本体部より高比重の合成樹脂で頭部を形成し、両者を接合させたルアーが提供されている。
【特許文献１】特開２０００−２１７４６８号公報（特許請求の範囲、図１、図３）
【発明の開示】
【発明が解決しようとする課題】
【０００６】
しかしながら、この特許文献１に記載のルアーは、合成樹脂製の頭部により重量が増加し、キャスティングによる飛距離を長くすることができ、本体部の浮力によって従来の木製ルアー独特の動きを損なうこともなく、また、細かい造形が集中する頭部を合成樹脂で作製することで、低コスト、大量生産を可能にしているなど有用なものではあるが、構成の大部分が木製の本体部であるため、従来の木製ルアーと同様に耐久性が低いという欠点を有し、また、頭部を合成樹脂で形成しただけのため、飛距離が十分ではないという欠点は解決されていないものである。
【０００７】
また、前記プラスチックプラグは、前述の通り浮力が少ないため、水面直下型のプラグを作成するには、浮力を得るためにボディが太くなるようにデザインするしかなく、プラグのデザインが不恰好になるという問題を有しているものである。
【０００８】
この発明はかかる現状に鑑み、中空のプラグ主体をプラスチックで形成し、このプラグ主体の背部に浮力材からなるカバー、さらに内部に錘部材を取付けることによって、木製ルアーとプラスチックルアーの両素材の長所を兼ね備え、さらに、水面直下型のプラグであっても自由自在にデザインすることができるフィッシング用プラグを提供する。
【課題を解決するための手段】
【０００９】
前記の目的を達成するため、この発明の請求項１に記載の発明は、
小魚又はその一部を象ったプラグ主体であって、
浮力に関与しない部位や強度を必要とする部位をプラスチックで一体成型し、
それ以外の部位を浮力材からなる整形部材で整形したこと
を特徴とするフィッシング用プラグである。
【００１０】
また、この発明の請求項２に記載の発明は、
請求項１に記載のフィッシング用プラグにおいて、
前記浮力に関与しない部位や強度を必要とする部位は、
頭部および尾部と、両者を連結する腹部であること
を特徴とするものである。
【００１１】
さらに、この発明の請求項３に記載の発明は、
小魚又はその一部を象ったプラグ主体の背部を、長手方向に沿って切欠いて開口部を形成し、
この開口部を、切欠いた形状と同一形状で、かつ前記プラグ主体よりも軽い浮力材で形成した整形部材で整形したこと
を特徴とするフィッシング用プラグである。
【００１２】
また、この発明の請求項４に記載の発明は、
請求項３に記載のフィッシング用プラグにおいて、
前記プラグ主体は、
少なくとも腹部の一部が中空であること
を特徴とするものである。
【００１３】
また、この発明の請求項５に記載の発明は、
請求項４に記載のフィッシング用プラグにおいて、
前記プラグ主体は、
腹部にウエイト部材が内蔵されていること
を特徴とするものである。
【００１４】
また、この発明の請求項６に記載の発明は、
請求項３〜５のいずれかに記載のフィッシング用プラグにおいて、
前記整形部材は、
前記プラグ主体の開口部に着脱自在に装着されていること
を特徴とするものである。
【００１５】
また、この発明の請求項７に記載の発明は、
請求項３〜６のいずれかに記載のフィッシング用プラグにおいて、
前記整形部材は、
発泡素材又はバルサもしくはウッドプラグであること
を特徴とするものである。
【発明の効果】
【００１６】
この発明のフィッシング用プラグは、浮力に関与しない部位や強度を必要とする部位をプラスチック素材で成型した主体部に、それ以外の部位を浮力材からなる整形部材で整形してプラグ主体としたので、バルサなどの木質材で構成したプラグに比して、キャスティングによる飛距離を格段に長くすることができ、さらにプラグ主体の主要部位をプラスチックとしているため、きわめて耐久性が高いものである。
【００１７】
特に、この発明のフィッシング用プラグは、バルサやウッドなどの大きな浮力を有する浮力材を使用して整形部材としたので、プラグ主体に高い浮力を付加することができ、移動スピードが速く、動きが機敏なルアーとすることができるので、魚に見切られにくく、喰いつきの良いものとすることができる。
【００１８】
さらに、魚体の頭部及び腹部をプラスチック形成しているので、目、口、エラなどの細かい造形が容易なため、低コストで安定して大量生産することができ、バルサやウッドなどからなる浮力材を取付けることによって、高い浮力を有しているので、水面直下型のプラグを作成する際、従来のように浮力を得るためにボディを太くする必要がないので、自由自在にデザインをすることができるものである。
【００１９】
また、プラグ主体内にウエイトを装着させることによって、ルアーをリーリングする際のプラグ主体の動きや、深度を調整することができ、釣果を向上せることができるものである。
【発明を実施するための最良の形態】
【００２０】
以下、この発明のフィッシング用プラグの好ましい実施の形態を、添付の図面に基づいて具体的に説明する。
【００２１】
図１は、この発明のフィッシング用プラグの一例を示したもので、この発明のフィッシング用プラグ１は、小魚を象ったプラグ主体２において、浮力に関与せず、かつ強度を必要とする部位、具体的には、頭部３や尾部４および頭部３と尾部４を一体的に連結する腹部５からなる主体部６をプラスチック素材で一体的に成型し、それ以外の部位、具体的には背部を、当該背部と同形で、かつ浮力材からなる整形部材１０で補正して、小魚を象ったプラグ主体２とするものである。
【００２２】
前記主体部６は、プラスチック素材で頭部３、腹部５、尾部４を一体的に成型するに際し、頭部３、腹部５、尾部４の一部に、それぞれ環状のアイ７を埋設して成型することが好ましい。
【００２３】
なお、この主体部６の成型に際し、主体部６の軸線に沿って２分割したものをあらかじめ成型し、得た一対の分割体を接着剤で一体的に接合してもよく、前記環状のアイ７は接合の際に取付けることができる。
【００２４】
また、この主体部６は、全体が中実であっても、中空体であってもよいが、中実体の場合には、少なくとも腹部５の所要部位に中空部８を形成し、この中空部８内に重さ調整用のウエイト９を装填させることが好ましく、中空体の場合は、ウエイト９を所要部位に固定する方式であっても、腹部５内に沿って移動自在に配置してもよい。
【００２５】
前記整形部材１０は、図１で明らかなように、あらかじめ切除された背部１０と略同形であって、かつ発泡素材又はバルサもしくはウッドプラグなど、主体部６を構成するプラスチック素材よりも比重の軽い素材で形成されるもので、全体が中実であっても、内部が中空となるように断面が逆Ｕ字状としてもよい。
【００２６】
より具体的には、小魚に模したプラグ主体２を成型するに際し、小魚の背部１０を長手方向に沿って、あらかじめ所要長さと深さで切除した主体部６をプラスチック素材で形成し、切除した背部Ａとほぼ同形のカバー部材を形成して整形部材１０とし、この整形部材１０を主体部６の切除された部位に接合接着してプラグ主体２とするものである。
【００２７】
なお、プラグ主体２を構成する主体部６や整形部材１０を、中実にするか、中空にするか、さらには背部の一部を切欠くか、切欠く部位を大きくするなどは、用途に応じて自在に変更することが可能なもので、また、整形部材１０を主体部６に対して着脱自在とすることによって、整形部材１０の浮力もフィッシングの態様によって変化させることもできるものである。
【図面の簡単な説明】
【００２８】
【図１】この発明のフィッシング用プラグの一実施例を示す概略説明図である。
【符号の説明】
【００２９】
１    フィッシング用プラグ
２    プラグ主体
３    頭部
４    尾部
５    腹部
６    主体部
７    アイ
８    中空部
９    ウエイト
１０    整形部材
【図１】
2005143405.tif 000003